(57)【特許請求の範囲】
【請求項１】
患者の心拍出量値と、左心房圧値及び／又は右心房圧値を入力する入力手段２と、
入力された前記心拍出量値及び前記左心房圧値又は右心房圧値から、左心機能値又は右心機能値を算出する第１算出手段３１と、
前記第１算出手段３１で算出される左心機能値及び／又は右心機能値と、目標心機能値を比較する第１比較手段４１と、
前記第１比較手段４１の比較結果に応じて前記患者へ投薬を施す第１投薬手段５１とからなる心疾患治療システム。
【請求項２】
前記第１算出手段３１が、前記入力手段２から入力される心拍出量値と、左心房圧値及び／又は右心房圧値から、（数１）及び／又は（数２）を利用して、前記左心機能値及び／又は右心機能値を算出することを特徴とする請求項１記載の心疾患治療システム。
【数１】
0004892667.tif 000024
【数２】
0004892667.tif 000025
【請求項３】
前記心疾患治療システムが、更に、
目標心拍出量値と、目標左心房圧値及び／又は目標右心房圧値から、前記目標心機能値である目標左心機能値及び／又は目標右心機能値を、算出する第１目標決定手段７１を有することを特徴とする請求項１又は２に記載の心疾患治療システム。
【請求項４】
前記第１目標決定手段７１が、目標心拍出量値と、目標左心房圧値及び／又は目標右心房圧値から、（数３）及び／又は（数４）を利用して、前記目標左心機能値及び／又は目標右心機能値を算出することを特徴とする請求項３記載の心疾患治療システム。
【数３】
0004892667.tif 000026
【数４】
0004892667.tif 000027
【請求項５】
患者の心拍出量値、左心房圧値及び右心房圧値を入力する入力手段２と、
入力された前記心拍出量値、前記左心房圧値及び右心房圧値から、有効循環血液量値を算出する第２算出手段３２と、
前記第２算出手段３２で算出される有効循環血液量値と、目標有効循環血液量値を比較する第２比較手段４２と、
前記第２比較手段４２の比較結果に応じて患者へ投薬を施す第２投薬手段５２とからなることを特徴とする心疾患治療システム。
【請求項６】
前記第２算出手段３２が、前記入力手段２から入力される心拍出量値と、左心房圧値及び右心房圧値から（数５）を利用して、前記有効循環血液量値を算出することを特徴とする請求項５記載の心疾患治療システム。
【数５】
0004892667.tif 000028
【請求項７】
前記心疾患治療システムが、更に、
目標心拍出量値、目標左心房圧値及び目標右心房圧値から、前記目標有効循環血液量値を算出する第２目標決定手段７２を有することを特徴とする請求項５又は６に記載の心疾患治療システム。
【請求項８】
前記第２目標決定手段７２が、目標心拍出量値、目標左心房圧値及び目標右心房圧値から、（数６）を利用して、前記目標有効循環血液量値を算出することを特徴とする請求項７記載の心疾患治療システム。
【数６】
0004892667.tif 000029
【請求項９】
患者の心拍出量値、右心房圧値と血圧値を入力する入力手段２と、
入力された前記心拍出量値、前記右心房圧値と前記血圧値から、血管抵抗値を算出する第３算出手段３３と、
前記第３算出手段３３で算出される血管抵抗値と、目標血管抵抗値を比較する第３比較手段４３と、
前記第３比較手段４３の比較結果に応じて患者へ投薬を施す第３投薬手段５３とからなる心疾患治療システム。
【請求項１０】
前記第３算出手段３３が、前記入力手段２から入力される心拍出量値、右心房圧値と血圧値から（数７）を利用して、前記血管抵抗値を算出することを特徴とする請求項９記載の心疾患治療システム。
【数７】
0004892667.tif 000030
【請求項１１】
前記心疾患治療システムが、更に、
目標心拍出量値、目標右心房圧値及び目標血圧値から、目標血管抵抗値を算出する第３目標決定手段７３を有していることを特徴とする請求項１０記載の心疾患治療システム。
【請求項１２】
前記第３目標決定手段７３が、目標心拍出量値、目標右心房圧値及び目標血圧値から、（数８）を利用して、前記目標血管抵抗値を算出することを特徴とする請求項１１記載の心疾患治療システム。
【数８】
0004892667.tif 000031
【請求項１３】
前記左心房圧値が、カテーテルにより直接計測されている又はスワン-ガンツ＝カテーテルによる肺動脈楔入圧又は肺動脈圧の拡張期圧値から連続推定することにより算出されていることを特徴とする請求項１乃至８のいずれか一項に記載の心疾患治療システム。
【請求項１４】
前記各算出手段３１、３２、３３から算出される各数値を時系列的に連続して表示する表示手段６が備えられてなることを特徴とする請求項１乃至１３のいずれか一項に記載の心疾患治療システム。
【請求項１５】
前記心拍出量値が、スワン-ガンツ＝カテーテルにより計測される又は動脈血圧波形の拡張期時定数から算出されていることを特徴とする請求項１乃至１４のいずれか一項に記載の心疾患治療システム。
【発明の詳細な説明】
【技術分野】
【０００１】
本発明は、心疾患治療システムに関し、より詳しくは、患者の血行動態を解析することにより、心疾患の異常をきたす原因を正確に診断し、この診断結果に応じて自動的に投薬を行い、心疾患を治療する心疾患治療システムに関する。
【背景技術】
【０００２】
心疾患は急性期に於ける専門医による緊急治療が極めて有効であることが知られている。ところが、心疾患に対応することのできる専門医は、医師全体の僅か３％に過ぎず、充分にその対応を行うことができるものではなかった。
このため、一般医であっても、専門医と同程度の心疾患に対応する能力レベルを習得しておく必要が生じている。
しかしながら、一般医が、上記専門医と同程度の能力レベルに到達することは極めて容易ならざることであった。このため、心疾患を治療するために、一般医に専門医と同程度の治療能力を提供することのできる心疾患治療システムの開発が必要となってきている。【０００３】
上記する如き問題点を解決するための心疾患治療システムとして、特許文献１に開示される心臓血管用薬剤の静脈内投与を自動調整するシステムが創出されている。この特許文献１に開示されるシステムは、麻酔時などにおいて、血管拡張薬などの心臓血管用薬剤の患者への静脈内投与を自動制御し、薬剤血中濃度を安定化させることを目的としている。
しかしながら、特許文献１に記載されるようなシステムは、制御目標が薬剤の血中レベルあるいは、薬剤自体の患者体内における薬理動態であり、患者の血行動態指標、あるいは各臓器システムの改善を目標としておらず、また適用対象は基本的に麻酔下の患者であり、上記する如き問題を解決するに至らなかった。【０００４】
一方、１９５０年代にガイトン（Guyton）らによって、心拍出量曲線，静脈還流量曲線等を利用する基本的循環平衡理論が確立され、この循環平衡理論を利用して心疾患の治療に役立てようとする研究が進んでいる（非特許文献１）。
しかしながら、ガイトンによる基本的循環平衡理論では、肺・体循環の間での血液の移動が考慮されておらず、予後を左右する左心房圧（肺動脈楔入圧）の予測が不可能であった。このため、正確な治療を行うことができない問題点を有していた。【０００５】
また、心拍出量、左心房圧、血圧や心拍数等を測定して血行動態異常を表示することのできる装置は、従来多数存在している。しかしながら、血行動態異常の数値を表示しても、この血行動態異常が心機能に原因があるのか、有効循環血液量に原因があるのかを判断するような循環システムの内部構造診断をする装置は創出されていないのが現状であった。
このため、上記する如き血行動態異常の数値が計測されたとしても、その異常の原因がどの部位に起因するのか診断することができず、治療方法の決定は、上記専門医の経験にのみ依存しているのが現状であった。【０００６】
【特許文献１】特表２０００−５０７１２９号公報
【非特許文献１】Guyton AC.著 「Determination of cardiac output by equating venous return curves with cardiac response curves」 Physiol Rev 35:123-129,1955
【発明の開示】
【発明が解決しようとする課題】
【０００７】
本発明は、このような実情に鑑みてなされたもので、患者の血行動態を解析することにより、心疾患の異常をきたす原因を正確に診断し、診断結果に応じて自動的に投薬を行い、心疾患を治療する心疾患治療システムに関する。
【課題を解決するための手段】
【０００８】
請求項１記載の発明は、患者の心拍出量値と、左心房圧値及び／又は右心房圧値を入力する入力手段２と、入力された前記心拍出量値及び前記左心房圧値又は右心房圧値から、左心機能値又は右心機能値を算出する第１算出手段３１と、前記第１算出手段３１で算出される左心機能値及び／又は右心機能値と、目標心機能値と比較する第１比較手段４１と、前記第１比較手段４１の比較結果に応じて前記患者へ投薬を施す第１投薬手段５１とからなる心疾患治療システムを提供する。
請求項２記載の発明は、前記第１算出手段３１が、前記入力手段２から入力される心拍出量値と、左心房圧値及び／又は右心房圧値から、（数１）及び／又は（数２）を利用して、前記左心機能値及び／又は右心機能値を算出することを特徴とする請求項１記載の心疾患治療システムを提供する。【０００９】
【数１】
0004892667.tif 000002
【００１０】
【数２】
0004892667.tif 000003
請求項３記載の発明は、前記心疾患治療システムが、更に、目標心拍出量値と、目標左心房圧値及び／又は目標右心房圧値から、前記目標心機能値である目標左心機能値及び／又は目標右心機能値を、算出する第１目標決定手段７１を有することを特徴とする請求項１又は２に記載の心疾患治療システムを提供する。
請求項４記載の発明は、前記第１目標決定手段７１が、目標心拍出量値と、目標左心房圧値及び／又は目標右心房圧値から、（数３）及び／又は（数４）を利用して、前記目標左心機能値及び／又は目標右心機能値を算出することを特徴とする請求項３記載の心疾患治療システムを提供する。【００１１】
【数３】
0004892667.tif 000004
【００１２】
【数４】
0004892667.tif 000005
【００１３】
請求項５記載の発明は、患者の心拍出量値、左心房圧値及び右心房圧値を入力する入力手段２と、入力された前記心拍出量値、前記左心房圧値及び右心房圧値から、有効循環血液量値を算出する第２算出手段３２と、前記第２算出手段３２で算出される有効循環血液量値と、目標有効循環血液量値を比較する第２比較手段４２と、前記第２比較手段４２の比較結果に応じて患者へ投薬を施す第２投薬手段５２とからなることを特徴とする心疾患治療システムを提供する。
請求項６記載の発明は、前記第２算出手段３２が、前記入力手段２から入力される心拍出量値と、左心房圧値及び右心房圧値から（数５）を利用して、前記有効循環血液量値を算出することを特徴とする請求項５記載の心疾患治療システムを提供する。【００１４】
【数５】
0004892667.tif 000006
請求項７記載の発明は、前記心疾患治療システムが、更に、目標心拍出量値、目標左心房圧値及び目標右心房圧値から、前記目標有効循環血液量値を算出する第２目標決定手段７２を有することを特徴とする請求項５又は６に記載の心疾患治療システムを提供する。
請求項８記載の発明は、前記第２目標決定手段７２が、目標心拍出量値、目標左心房圧値及び目標右心房圧値から、（数６）を利用して、前記目標有効循環血液量値を算出することを特徴とする請求項７記載の心疾患治療システムを提供する。【００１５】
【数６】
0004892667.tif 000007
【００１６】
請求項９記載の発明は、患者の心拍出量値、右心房圧値と血圧値を入力する入力手段２と、入力された前記心拍出量値、前記右心房圧値と前記血圧値から、血管抵抗値を算出する第３算出手段３３と、前記第３算出手段３３で算出される血管抵抗値と、目標血管抵抗値を比較する第３比較手段４３と、前記第３比較手段４３の比較結果に応じて患者へ投薬を施す第３投薬手段５３とからなる心疾患治療システムを提供する。
請求項１０記載の発明は、前記第３算出手段３３が、前記入力手段２から入力される心拍出量値、右心房圧値と血圧値から（数７）を利用して、前記血管抵抗値を算出することを特徴とする請求項９記載の心疾患治療システムを提供する。【００１７】
【数７】
0004892667.tif 000008
【００１８】
請求項１１記載の発明は、前記心疾患治療システムが、更に、目標心拍出量値、目標右心房圧値及び目標血圧値から、目標血管抵抗値を算出する第３目標決定手段７３を有していることを特徴とする請求項１０記載の心疾患治療システムを提供する。
請求項１２記載の発明は、前記第３目標決定手段７３が、目標心拍出量値、目標右心房圧値及び目標血圧値から、（数８）を利用して、前記目標血管抵抗値を算出することを特徴とする請求項１１記載の心疾患治療システムを提供する。【００１９】
【数８】
0004892667.tif 000009
【００２０】
請求項１３記載の発明は、前記左心房圧値が、カテーテルにより直接計測されている又はスワン-ガンツ＝カテーテルによる肺動脈楔入圧又は肺動脈圧の拡張期圧値から連続推定することにより算出されていることを特徴とする請求項１乃至８のいずれか一項に記載の心疾患治療システムを提供する。
請求項１４記載の発明は、前記各算出手段３１、３２、３３から算出される各数値を時系列的に連続して表示する表示手段６が備えられてなることを特徴とする請求項１乃至１３のいずれか一項に記載の心疾患治療システムを提供する。
請求項１５記載の発明は、前記心拍出量値が、スワン-ガンツ＝カテーテルにより計測される又は動脈血圧波形の拡張期時定数から算出されていることを特徴とする請求項１乃至１４のいずれか一項に記載の心疾患治療システムを提供する。
これらの発明を提供することによって、上記課題を悉く解決する。
【発明の効果】
【００２１】
請求項１記載の発明によって、心拍出量と左心房圧及び／又は右心房圧を入力値とすることにより、患者の左心機能値及び／又は右心機能値を算出し、この算出された左心機能値及び／又は右心機能値を目標心機能値と比較することにより心機能の異常を診断して、この診断結果に応じて投薬治療を行うことのできる心疾患治療システムを提供する。
このように、左右の心機能値と目標心機能値を比較し、その比較結果に応じて投薬が行われるので、確実に且つ正確に患者の心機能の異常状態を正常状態へと治療することができる。
請求項２記載の発明によって、（数１）及び（数２）を利用することにより、より詳細に且つ明確に心機能の算出を行うことができるとともに、Ａ乃至Ｄの定数を適宜に変更することによって、多種多様な患者に応じて算出される心機能値を補正して算出することができる心疾患治療システムを提供することができる。
このように算出される心機能値を、患者に応じて補正することができるのでより正確な患者の心機能を算出することができ、より高い精度の治療を施すことができる。
請求項３記載の発明によって、目標心拍出量値、目標左心房圧値及び／又は目標右心房圧値を利用して、目標心機能値である目標左心機能値及び／又は目標右心機能値を容易に算出することができる心疾患治療システムを提供することができる。
請求項４記載の発明によって、（数３）及び（数４）を利用することにより、より的確に目標心機能値の算出を行うことができる心疾患治療システムを提供することができる。【００２２】
請求項５記載の発明によって、患者の心拍出量、左心房圧と右心房圧を入力値とすることにより、患者の有効循環血液量値が算出され、この算出された有効循環血液量値と目標有効循環血液量値を比較し、その比較結果に応じて投薬治療を行うことのできる心疾患治療システムを提供することができる。
このように、算出される有効循環血液量値と目標有効循環血液量値を比較して、その比較結果に応じて投薬が行われるので、確実に且つ正確に患者の有効循環血液量の異常状態を正常状態へと治療することができる。
請求項６記載の発明によって、（数５）を利用することにより、より詳細に且つ明確に有効循環血液量の算出を行うことができるとともに、Ｅ乃至Ｇの定数を適宜に変更することによって、多種多様な患者に応じて算出される有効循環血液量を補正して算出することができる心疾患治療システムを提供することができる。
このように算出される有効循環血液量値を、患者に応じて補正することができるのでより正確な患者の有効循環血液量を算出することができ、より高い精度の治療を施すことができる。
請求項７記載の発明によって、目標心拍出量値、目標左心房圧値及び目標右心房圧値から、容易に目標有効循環血液量値を算出することができる心疾患治療システムを提供することができる。
請求項８記載の発明によって、（数６）を利用することにより、より的確に目標有効循環血液量値の算出を行うことができる心疾患治療システムを提供することができる。【００２３】
請求項９記載の発明によって、患者の心拍出量、右心房圧と血圧を入力値とすることにより、患者の血管抵抗値を算出し、この算出された血管抵抗値と目標血管抵抗値を比較し、その比較結果に応じて投薬治療を行うことのできる心疾患治療システムを提供する。
このように、算出される血管抵抗値と目標血管抵抗値を比較して、その比較結果に応じて投薬が行われるので、確実に且つ正確に患者の血管抵抗値の異常状態を正常状態へと治療することができる。
請求項１０記載の発明によって、（数７）を利用することにより、より詳細に且つ明確に血管抵抗値の算出を行うことができる心疾患治療システムを提供する。この（数７）の定数Ｈは、血管抵抗非線形性を補正する定数であり、この定数を調整することで、その非線形性が強い個体においてもシステムの正常な作動が保ち得る。
請求項１１記載の発明によって、目標心拍出量値、目標右心房圧値及び目標血圧値から、容易に目標血管抵抗値を算出することができる心疾患治療システムを提供することができる。
請求項１２記載の発明によって、（数８）を利用することにより、より的確に目標血管抵抗値の算出を行うことができる心疾患治療システムを提供することができる。【００２４】
請求項１３記載の発明によって、心拍出量と、右心房圧及び／又は左心房圧と、血圧とから、患者の左心機能値及び／又は右心機能値、有効循環血液量値と血管抵抗値等を算出し、これらの算出結果と目標値とを比較して、この比較結果から投薬治療を行うことができる心疾患治療システムを提供することができる。
このように、患者の左心機能及び／又は右心機能、有効循環血液量と血管抵抗の異常状態を正常状態へと効果的に投薬治療を行うことができる。
請求項１４記載の発明によって、左心機能及び／又は右心機能、有効循環血液量と血管抵抗の各数値を時系列的に連続して表示することができるので、時系列的な変化を見逃すことなく確実に患者を診断することができるとともに、投薬治療による状態の推移を表示することができる心疾患治療システムを提供することができる。
請求項１５及び１６記載の発明によって、心拍出量が、スワン-ガンツ＝カテーテルにより計測される又は動脈血圧波形の拡張期時定数から算出され、左心房圧値がカテーテルにより直接計測される又はスワン-ガンツ＝カテーテルによる肺動脈楔入圧又は肺動脈圧の拡張期圧値から連続推定することにより算出されているので、極めて精度の高い心疾患治療システムを提供することができる。
【発明を実施するための最良の形態】
【００２５】
本発明を実施するための最良の形態を説明する。
図１は、本発明に係る心疾患治療システムの概略構成図である。図２は、心臓の概略図を示しており、本発明に係る心疾患治療システム（１）は、この図２に示される心拍出量値、左心房圧値及び右心房圧値と、血圧値（図示せず）を利用する。
本発明に係る心疾患治療システム（１）を利用することにより、血行動態の異常（心拍出量の低下（末梢循環不全）、左心房圧の増加（肺うっ血）や血圧上昇や低下）から循環システム内のどこに異常があるのかを診断して、適切な治療薬の投与を行うことができる。
本発明に係る心疾患治療システム（１）は、入力手段（２）と、算出手段（３）と、比較手段（４）と、投薬手段（５）と、表示手段（６）と目標決定手段（７）を備えている。【００２６】
入力手段（２）は、患者から計測される血行動態の数値（数値データ）を後述する算出手段（３）へ入力する。この入力手段（２）が入力する血行動態の数値は、血圧値、心拍出量値、右心房圧値と左心房圧値が設定されている。
この入力手段（２）は、算出手段（３）に数値データを入力することができれば特に限定されるものではなく、実際に計測された数値を、本心疾患治療システム（１）を使用する使用者が入力する際のキーボード等の入力装置を採用することもできるし、患者の血行動態を計測して、直接的に算出手段（３）へ入力を行う計測装置を採用することもできる。尚、この心疾患治療システム（１）を常時患者に接続して、心疾患の異常を診断し、投薬治療を施す場合には、患者の血行動態を計測して直接的に算出手段（３）へ入力を行うように設定することが好ましい。【００２７】
この入力手段（２）が入力する血行動態の数値データは血圧値、心拍出量値、右心房圧値と左心房圧値であるが、夫々従来の計測装置を利用することができる。このような計測装置は、特に限定されるものではないが、血圧値は末梢動脈（例えば、橈骨動脈）内にカテーテルを留置して計測することができ、心拍出量値、左心房圧値と右心房圧値はスワンガンツ・カテーテルを利用して計測することができる。【００２８】
本発明に係る心疾患治療システム（１）は、連続的に患者を診断するために、各数値を連続的な数値として計測して使用する。このとき、血圧値と右心房圧値は連続的に計測することができるが、従来、左心房圧値と心拍出量値は連続的に計測することができないとされている。
このため、左心房圧値は、肺動脈圧の拡張期圧値から連続推定することによって左心房圧値を連続的に推定する方法を採用することによって、連続的な数値として利用する。
この左心房圧値は、肺動脈圧の拡張期圧値と線形関係を有していることが解っているので、複数個体の平均的相関関係に基づき肺動脈拡張期圧から左心房圧値を算出することができる。尚、この肺動脈圧の拡張期圧値を利用して左心房圧値を算出する場合、心拍数の変化に従って、肺動脈圧の拡張期圧値と左心房圧値の相関関係（線形関係）が変化するので、複数個体における平均的相関関係を心拍数で補正することができるようにしておくことが好ましい。
また、心拍出量値は、末梢の血圧波形の拡張期時定数から推定する方法を採用することによって、連続的な数値として利用する。
この心拍出量値は、従来公知の方法を採用することができ、例えば、末梢の血圧波形の拡張期時定数を利用して算出することができる。【００２９】
目標決定手段（７）は、後述する第１乃至第３比較手段に於いて基準となる目標値（目標心機能値（目標左心機能値及び／又は目標右心機能値）、目標有効循環血液量値と目標血管抵抗値）を容易に算出することができる。これらの目標値（目標心機能値（目標左心機能値及び／又は目標右心機能値）、目標有効循環血液量値と目標血管抵抗値）は、使用者が予め直接各比較手段に入力しておくこともできるが、この目標決定手段（７）を利用することにより、目標心拍出量値、目標左心房圧値、目標右心房圧値と目標血圧値を入力するだけで自動的に目標心機能値（目標左心機能値及び／又は目標右心機能値）、目標有効循環血液量値と目標血管抵抗値を算出することができる。【００３０】
この目標決定手段（７）は、第１目標決定手段（７１）、第２目標決定手段（７２）と第３目標決定手段（７３）から構成されている。これら第１乃至第３目標決定手段（７１〜７３）は、入力値に応じて出力値を算出する演算ユニットである。
この目標決定手段（７）は、一つの演算ユニットとして第１乃至第３目標決定手段（７１〜７３）で行う演算を行うように設定されてもよいし、第１乃至第３目標決定手段（７１〜７３）の演算を夫々行う三つの演算ユニットから構成されてもよい。【００３１】
第１目標決定手段（７１）は、目標心拍出量値と目標左心房圧値から、目標左心機能値を、及び／又は、目標心拍出量値と目標右心房圧値から、目標右心機能値を算出する。
この第１目標決定手段（７１）は、上記する目標左心機能値と目標右心機能値を夫々算出することができるように設定してもよいし、目標左心機能値又は目標右心機能値のいずれかを算出するように設定してもよい。【００３２】
この第１目標決定手段（７１）が行う目標左心機能値を算出する方法は、目標心拍出量値と目標左心房圧値を利用して、下記（数９）にこれらの数値を代入することにより、目標左心機能値を算出することができる。
この式（数９）中のＡ及びＢは定数値（定数）であり、患者に応じて適宜変更することのできる数値である。この定数は、予め使用者によって設定されている数値であり、患者に応じて変更することができるので、患者に応じて調整することで算出される目標左心機能値を補正することができる。【００３３】
【数９】
0004892667.tif 000010
【００３４】
第１目標決定手段（７１）は、上記の如く、目標左心機能値を算出することができるとともに、同様に下記の（数１０）を利用して目標右心機能値を算出することができる。目標右心機能値を算出する場合には、目標心拍出量値と目標右心房圧値を利用し、（数１０）にこれらの値を代入して算出する。
尚、この（数１０）の式中のＣ及びＤは定数値（定数）であり、患者に応じて適宜変更することのできる数値である。この定数は、予め使用者によって設定されている数値であり、患者に応じて変更することができるので、患者に応じて調整することで算出される目標右心機能値を補正することができる。【００３５】
【数１０】
0004892667.tif 000011
【００３６】
目標決定手段（７）は、上記の如く、第２目標決定手段（７２）を有している。
この第２目標決定手段（７２）は、目標心拍出量値、目標左心房圧値及び目標右心房圧値から、目標有効循環血液量値を算出する。
この第２目標決定手段（７２）が目標有効循環血液量値を算出する方法は、目標心拍出量値、目標左心房圧値と目標右心房圧値を利用して、下記（数１１）にこれらの数値を代入することにより、目標有効循環血液量値を算出することができる。
この式（数１１）中のＥ、Ｆ及びＧは定数値（定数）であり、患者に応じて適宜変更することのできる数値である。この定数は、予め使用者によって設定されている数値であり、患者に応じて変更することができるので、患者に応じて調整することで、算出される目標有効循環血液量値を補正することができる。【００３７】
【数１１】
0004892667.tif 000012
【００３８】
目標決定手段（７）は、上記の如く、第３目標決定手段（７３）を有している。
この第３目標決定手段（７３）は、目標心拍出量値、目標右心房圧値と目標血圧値から、目標血管抵抗値を算出する。
この第３目標決定手段（７３）が目標血管抵抗値を算出する方法は、目標心拍出量値、目標右心房圧値と目標血圧値を利用して、下記（数１２）にこれらの数値を代入することにより、目標血管抵抗値を算出することができる。この（数１２）の定数Ｈは、血管抵抗非線形性を補正する定数であり、患者に応じて調整することで、その非線形性が強い個体においてもシステムの正常な作動が保ち得る。【００３９】
【数１２】
0004892667.tif 000013
【００４０】
上記する目標決定手段（７）へ入力される各目標値（心拍出量値、左心房圧値、右心房圧値と血圧値）は、使用者によって入力される数値であり、使用者が患者に対して所望する状態の各数値を入力することになる。【００４１】
算出手段（３）は、入力手段（２）より入力される血行動態値を所定方法により演算する。この算出手段（３）は、第１算出手段（３１）、第２算出手段（３２）と第３算出手段（３３）から構成されている。この算出手段（３）は、一つの演算ユニットとして第１乃至第３算出手段（３１〜３３）の演算を行うように設定されてもよいし、第１乃至第３算出手段（３１〜３３）の演算を夫々行う三つの演算ユニットから構成されてもよい。【００４２】
第１算出手段（３１）は、入力手段（２）より入力される心拍出量値と左心房圧値から、左心機能値を算出する。又は、入力手段（２）により入力される心拍出量値と右心房圧値から、右心機能を算出する。この第１算出手段（３１）は、上記する左心機能値と右心機能値を夫々算出することができるように設定してもよいし、左心機能値又は右心機能値のいずれかを算出するように設定してもよい。【００４３】
この第１算出手段（３１）が行う左心機能値を算出する方法は、入力手段（２）により入力される心拍出量値と左心房圧値を利用して、下記（数１３）にこれらの数値を代入することにより、左心機能値を算出することができる。
この式（数１３）中のＡ及びＢは定数値（定数）であり、患者に応じて適宜変更することのできる数値である。この定数は、予め使用者によって設定されている数値であり、患者に応じて変更することができるので、患者に応じて調整することで算出される左心機能値を補正することができる。【００４４】
【数１３】
0004892667.tif 000014
【００４５】
上記する数式を利用する場合には、下記の（数１４）の如き数式を変換しておき、入力手段（２）から入力される数値から左心機能値を算出するように設定しておくことが好ましい。このように変換した数式を利用することによって、迅速に演算処理を行うことができるからである。【００４６】
【数１４】
0004892667.tif 000015
【００４７】
第１算出手段（３１）は、上記の如く、左心機能値を算出することができ、同様に下記の（数１５）を利用して右心機能値を算出することができる。右心機能値を算出する場合には、心拍出量値と右心房圧値を利用し、（数１５）に代入して算出する。
この場合も、第１算出手段（３１）には、（数１５）を変換した（数１６）を用意しておき、入力手段（２）から入力される数値から右心機能値を算出するように設定しておくことが好ましい。
尚、この（数１５）及び（数１６）の式中のＣ及びＤは定数値（定数）であり、患者に応じて適宜変更することのできる数値である。この定数は、予め使用者によって設定されている数値であり、患者に応じて変更することができるので、患者に応じて調整することで算出される右心機能値を補正することができる。【００４８】
【数１５】
0004892667.tif 000016
【００４９】
【数１６】
0004892667.tif 000017
【００５０】
この第１算出手段（３１）は左心機能値及び右心機能値を算出するが、どちらの心機能値も心拍出量値を利用して算出することができるので、図３に示される如く、「心拍出量」値、「左心房圧」値と「右心房圧」値を３軸とする３次元座標で表現することができる。
このように、「心拍出量」値、「左心房圧」値と「右心房圧」値を３軸とする３次元座標で表現することにより、心拍出量の変化を表示する心拍出量曲線を表示することができる。この心拍出量曲線を表示することにより、患者の左心機能と右心機能を統合した心機能を目視することができるようになり、極めて容易に診断を行うことができる。
尚、図３には、正常な場合の心拍出量曲線（ａ）と障害を受けた心臓の心拍出量曲線（ｂ）が示されており、（ａ）の心拍出量曲線よりも（ｂ）の心拍出量曲線の方が、左心機能と右心機能を統合した心機能が低いことを容易に把握することができる。このように、一空間内に正常心拍出量曲線と測定心拍出量曲線を指示することによって容易に診断を行うことができる。【００５１】
算出手段（３）は、第２算出手段（３２）を有している。
この第２算出手段（３２）は、心拍出量値、左心房圧値及び右心房圧値から、有効循環血液量値を算出する。
この第２算出手段（３２）が有効循環血液量値を算出する方法は、入力手段（２）により入力される心拍出量値、左心房圧値と右心房圧値を利用して、下記（数１７）にこれらの数値を代入することにより、有効循環血液量値を算出することができる。
この式（数１７）中のＥ、Ｆ及びＧは定数値（定数）であり、患者に応じて適宜変更することのできる数値である。この定数は、予め使用者によって設定されている数値であり、患者に応じて変更することができるので、患者に応じて調整することで、算出される有効循環血液量値を補正することができる。【００５２】
【数１７】
0004892667.tif 000018
【００５３】
上記する数式（数１７）を利用する場合には、下記の（数１８）の如き数式を変換しておき、入力手段（２）から入力される数値から有効循環血液量値を算出するように設定しておくことが好ましい。このように変換した数式を利用することによって、迅速に演算処理を行うことができるからである。【００５４】
【数１８】
0004892667.tif 000019
【００５５】
この第２算出手段（３２）は、心拍出量値、右心房圧値と左心房圧値を利用して算出するが、図４に示される如く、「心拍出量」値、「左心房圧」値と「右心房圧」値を３軸とする３次元座標で表現することができる。この場合、「心拍出量」値、「左心房圧」値と「右心房圧」値の３変数を取り扱うことになるので、図４で示す如く、３次元内に存在する平面（静脈還流平面）を形成することになる。
この平面は、「心拍出量」値、「左心房圧」値と「右心房圧」値の３変数と、定数（Ｅ、ＦとＧ）から形成されている。この平面の傾きは異なる個体間、または同一の個体内で一定とみなしても差し支えないことがわかっている。またある患者群では、その特性にあわせ傾きを補正することもできる。
したがって、この静脈還流平面は、傾きが一定であるので、算出される有効循環血液量値によって、平面の高さが決定されることになる。
このように、「心拍出量」値、「左心房圧」値と「右心房圧」値を３軸とする３次元座標で表現することにより、有効循環血液量を静脈還流平面として表示することができ、患者の有効循環血液量（静脈還流平面）を目視することができるようになり、極めて容易に診断を行うことができる。
尚、図４には、正常な場合の静脈還流平面（ｃ）と有効循環血液量が増加した静脈還流平面（ｄ）が示されており、（ｃ）よりも（ｄ）の静脈還流平面の方が、平行移動し高さが高くなることが示されている。このように、一空間内に正常静脈還流平面と測定静脈還流平面を指示することによって容易に診断を行うことができる。【００５６】
算出手段（３）は、第３算出手段（３３）を有している。
この第３算出手段（３３）は、心拍出量値、右心房圧値と血圧値から、血管抵抗値を算出する。
この第３算出手段（３３）が血管抵抗値を算出する方法は、入力手段（２）により入力される心拍出量値、右心房圧値と血圧値を利用して、下記（数１９）にこれらの数値を代入することにより、血管抵抗値を算出することができる。この（数１９）の定数Ｈは、血管抵抗非線形性を補正する定数であり、患者に応じて調整することで、その非線形性が強い個体においてもシステムの正常な作動が保ちうる。【００５７】
【数１９】
0004892667.tif 000020
【００５８】
図５は、「心拍出量」値、「左心房圧」値と「右心房圧」値を３軸とする３次元座標内に、心拍出量曲線（ｅ）と静脈還流平面（ｆ）を同時に表示する場合の一実施例を示している。
図５において、心拍出量曲線（ｅ）と静脈還流平面（ｆ）との交点から個体の「心拍出量」値、「左心房圧」値と「右心房圧」値が決定される。もしその個体の「心拍出量」値、「左心房圧」値と「右心房圧」値が異常で、それらを何らかの目標値に改善させるときには、その目標値に対応する３次元座標内の目標点を規定する。そしてその目標点において心拍出量曲線（ｅ）と静脈還流平面（ｆ）が交差するよう、個体の心拍出量曲線（ｅ）つまり左右心機能値、静脈還流平面（ｆ）つまり有効循環血液量を、各々投薬を行い制御する。これにより最終的に「心拍出量」値、「左心房圧」値と「右心房圧」値を正常な目標値に到達させることが出来る。【００５９】
比較手段（４）は、算出手段（３）に於いて算出される算出数値と、目標決定手段（７）において算出される目標値（目標心機能値（目標左心機能値及び／又は目標右心機能値）、目標有効循環血液量値と目標血管抵抗値））を比較する。この比較手段（４）は、第１比較手段（４１）、第２比較手段（４２）と第３比較手段（４３）を有している。
第１比較手段（４１）は、第１算出手段（３１）に於いて算出された左心機能値及び／又は右心機能値と、第１目標決定手段（７１）に於いて算出された目標左心機能値及び／又は目標右心機能値を比較する。より具体的には、第１算出手段（３１）で左心機能値が算出され、この算出された左心機能値と第１目標決定手段（７１）に於いて算出された目標左心機能値の比較が行われ、その比較結果に応じて後述する投薬手段（５）へ比較結果の信号が送信されるように設置してもよい。
この第１比較手段（４１）が行う比較は、目標左心機能値に対して、算出された左心機能値が、「大きい」、「等しい」と「小さい」の３種類の比較を行うことができ、これら３つの比較結果の中から１つを後述する投薬手段（第１投薬手段（５１））へ比較結果の信号として送信することになる。また「大きい」、「等しい」と「小さい」の３種類の比較のみならず、目標左心機能値に対する算出された左心機能値の偏差を定量化した信号を送信することも可能である。
尚、この目標左心機能値は、上記する如く、使用者によって適宜設定することのできる初期設定値であってもよい。また、上記説明は、左心機能値を例示して説明を行ったが、右心機能値も同様に設定されることができるが、右心機能値と左心機能値は同一の推移（挙動）を示すので、どちらか一方を使用することもできる。【００６０】
第２比較手段（４２）は、第２算出手段（３２）に於いて算出された有効循環血液量値と、第２目標決定手段（７２）に於いて算出された目標有効循環血液量値を比較する。より具体的には、第２算出手段（３２）で有効循環血液量値が算出され、この算出された有効循環血液量値と、第２目標決定手段（７２）に於いて算出された目標有効循環血液量値の比較が行われ、その比較結果に応じて後述する投薬手段（５）へこの比較結果の信号が送信されることになる。
この第２比較手段（４２）が行う比較は、目標有効循環血液量値に対して、算出された有効循環血液量値が、「大きい」、「等しい」と「小さい」の３種類の比較を行うことができ、これら３つの比較結果の中から１つを後述する投薬手段（第２投薬手段（５２））へ比較結果の信号として送信することになる。また「大きい」、「等しい」と「小さい」の３種類の比較のみならず、目標有効循環血液量値に対する算出された有効循環血液量値の偏差を定量化した信号を送信することも可能である。
尚、この目標有効循環血液量値は、上記の如く、使用者によって適宜設定することのできる初期設定値であってもよい。【００６１】
第３比較手段（４３）は、第３算出手段（３３）に於いて算出された血管抵抗値と、第３目標決定手段（７３）に於いて算出された目標血管抵抗値を比較する。より具体的には、第３算出手段（３３）で血管抵抗値が算出され、この算出された血管抵抗値と第３目標決定手段（７３）に於いて算出された目標血管抵抗値の比較が行われ、その比較結果に応じて後述する投薬手段（５）へこの比較結果の信号が送信されることになる。
この第３比較手段（４３）が行う比較は、目標血管抵抗値に対して、算出された血管抵抗値が、「大きい」、「等しい」と「小さい」の３種類の比較を行うことができ、これら３つの比較結果の中から１つの比較結果を後述する投薬手段（第３投薬手段（５３））へ比較結果の信号として送信することになる。また「大きい」、「等しい」と「小さい」の３種類の比較のみならず、目標血管抵抗値に対する算出された血管抵抗値の偏差を定量化した信号を送信することも可能である。
尚、この目標血管抵抗値は、上記の如く、使用者によって適宜設定することのできる初期設定値であってもよい。【００６２】
投薬手段（５）は、比較手段（４）に於ける比較結果を受け取り、この比較結果に応じて患者に投薬を開始及び／又は停止を行う。
この投薬手段（５）は、第１投薬手段（５１）と、第２投薬手段（５２）と第３投薬手段（５３）を有してなる。第１乃至第３投薬手段（５１〜５３）は、各手段とも後述する投薬を患者に投薬することができるように設定されるとともに、比較手段（４）から送信される比較結果の信号に応じて、患者への投薬の制御（投薬量の調整）を行うことができる。
この投薬手段（５）は、例えば、複数の自動注入ポンプに接続される多薬剤同時注入用多孔カテーテルを採用することができる。この多孔カテーテルを患者の静脈へ接続することにより、患者の静脈内へ投与するようにする。【００６３】
第１投薬手段（５１）は、第１比較手段（４１）から送信される比較結果の信号に応じて、所定の薬剤を患者の体内へ投与する。
この第１投薬手段（５１）が行う投薬は、第１比較手段（４１）の比較結果の信号にて行われることになるため、心機能の異常が認められる場合に投薬が開始されることになる。
具体的には、第１投薬手段（５１）が、第１比較手段（４１）から「小さい」という比較結果（算出された左心機能値が目標心機能値よりも低い場合）を受け取った場合には、心機能が異常状態であるとされ、この第１投薬手段（５１）は心機能値を上げるための投薬を開始することになる。この場合に使用される薬剤は、強心剤であり、例えば、ドブタミンやドーパミン等が投与されることになる。
また、第１投薬手段（５１）が、第１比較手段（４１）から「等しい」という比較結果（算出された左心機能値と目標心機能値が等しい場合）を受け取った場合には、心機能が正常状態であるとされ、この第１投薬手段（５１）は投薬量を増加させない又は投薬を行わない又は投薬を停止することになる。
またさらに、第１投薬手段（５１）が、第１比較手段（４１）から「大きい」という比較結果（算出された左心機能値が目標心機能値よりも高い場合）を受け取った場合には、心機能が目標よりさらに良好な状態であるとされ、この第１投薬手段（５１）は強心剤の投薬量を減少させる又は、投薬を行わない又は、投薬を停止することになる。【００６４】
第１投薬手段（５１）が行う薬剤の投与量は、特に限定されるものではなく、患者の人体にとって好適であることが第１条件となるが、第１比較手段（４１）に於いて比較される算出された心機能値と目標心機能値との偏差に応じて投与量を変化させることもできる。例えば、第１比較手段（４１）に於いて、上記説明では、算出された心機能値を目標心機能値に対して３段階に分割（「大きい」、「等しい」、「小さい」）して、第１投薬手段（５１）の動作を制御しているが、目標心機能値との偏差に応じて多段階（３段階よりも更に多段階）に分割することによって、薬剤の投与量の変化を設定することもできる。このように、多段階に分割して、各段階に応じて薬剤の投与量に変化を持たせることにより、極めて精度良く投薬を行うことができるようになる。【００６５】
第２投薬手段（５２）は、第２比較手段（４２）から送信される比較結果の信号に応じて、所定の薬剤を患者の体内へ投与する。
この第２投薬手段（５２）が行う投薬は、第２比較手段（４２）の比較結果の信号にて行われることになるため、有効循環血液量の異常が認められる場合に投薬が開始されることになる。
具体的には、第２投薬手段（５２）が、第２比較手段（４２）から「大きい」という比較結果（算出された有効循環血液量値が目標有効循環血液量値よりも高い場合）を受け取った場合には、有効循環血液量が異常状態であるとされ、この第２投薬手段（５２）は有効循環血液量値を下げるための投薬を開始することになる。この場合に使用される投薬は、利尿剤、例えばフロセミドが投与されることになる。
また、第２投薬手段（５２）が、第２比較手段（４２）から「等しい」という比較結果（算出された有効循環血液量値と目標有効循環血液量値が等しい場合）を受け取った場合には、有効循環血液量が正常状態であるとされ、この第２投薬手段（５２）は投薬を行わない又は投薬を停止することになる。
またさらに、第２投薬手段（５２）が、第２比較手段（４２）から「小さい」という比較結果（算出された有効循環血液量値が目標有効循環血液量値よりも低い場合）を受け取った場合には、有効循環血液量が異常状態であるとされ、この第２投薬手段（５２）は有効循環血液量値を上げるための投薬が開始されることになる。この場合に使用される投薬は、有効循環血液量を増加させる輸液製剤が投薬され、例えば、低分子デキストランやアルブミン製剤等が投与されることになる。【００６６】
第２投薬手段（５２）が行う薬剤の投与量は、第１投薬手段（５１）に於いて説明する如く、特に限定されるものではなく、患者の人体にとって好適であることが第１条件となるが、第２比較手段（４２）に於いて比較される算出された有効循環血液量値と目標有効循環血液量値との偏差に応じて投与量を変化させることもできる。このように、算出された有効循環血液量値を目標有効循環血液量値に応じて多段階的に分割し、各段階に応じて薬剤の投与量に変化を持たせることにより、極めて精度良く投薬を行うことができるようになる。【００６７】
第３投薬手段（５３）は、第３比較手段（４３）から送信される比較結果の信号に応じて、所定の薬剤が患者の体内へ投与する。
この第３投薬手段（５３）が行う投薬は、第３比較手段（４３）の比較結果の信号にて行われることになるため、血管抵抗の異常が認められる場合に投薬が開始されることになる。
具体的には、第３投薬手段（５３）が、第３比較手段（４３）から「大きい」という比較結果（算出された血管抵抗値が目標血管抵抗値よりも高い場合）を受け取った場合には、血管抵抗が異常状態であるとされ、この第３投薬手段（５３）は血管抵抗値を下げるための投薬を開始することになる。この場合に使用される投薬は、血管拡張剤が投薬され、例えば、ニトロプルシドやニトログリセリン、フェントラミン等が投与されることになる。またすでに血管収縮剤、例えばノルエピネフリン等が投与されている場合はそれらが減量されることになる。
また、第３投薬手段（５３）が、第３比較手段（４３）から「等しい」という比較結果（算出された血管抵抗値と目標血管抵抗値が等しい場合）を受け取った場合には、血管抵抗が正常状態であるとされ、この第３投薬手段（５３）は投薬を行わない又は投薬を停止することになる。
またさらに、第３投薬手段（５３）が、第３比較手段（４３）から「小さい」という比較結果（算出された血管抵抗値が目標血管抵抗値よりも低い場合）を受け取った場合には、血管抵抗が異常状態であるとされ、この第３投薬手段（５３）は血管抵抗値を上げるための投薬が開始されることになる。この場合に使用される投薬は、血管収縮剤が投薬され、例えば、ノルエピネフリン等が投与されることになる。またすでに血管拡張剤、例えばニトロプルシドやニトログリセリン、フェントラミン等が投与されている場合はそれらが減量されることになる。【００６８】
第３投薬手段（５３）が行う薬剤の投与量は、第１投薬手段（５１）に於いて説明する如く、特に限定されるものではなく、患者の人体にとって好適であることが第１条件となるが、第３比較手段（４３）に於いて比較される算出された血管抵抗値と目標血管抵抗値との偏差に応じて投与量を変化させることもできる。このように、算出された血管抵抗値を目標血管抵抗値に応じて多段階的に分割し、各段階に応じて薬剤の投与量に変化を持たせることにより、極めて精度良く投薬を行うことができるようになる。【００６９】
第１乃至第３投薬手段（５１〜５３）による薬剤の投薬量の調整は、第１乃至第３比較手段（４１〜４３）に於いて設定される目標値（目標心機能値、目標有効循環血液量値、目標血管抵抗値）を目標値として、実時間の心機能値、有効循環血液量値、血管抵抗値を制御するために薬剤の投与量を実時間で制御する方法を採用することもでき、この場合、制御則として特に限定するものではないが、PI制御（比例・積分制御）又はPID制御（比例・積分・微分制御）を採用することによって好適に実行することができる。
このように、PI制御又はPID制御により薬剤の投与量を制御することにより、極めて精度良く投薬を行うことができるようになる。
また薬剤に対する応答が極めて特異な患者においては、適応制御を採用することにより薬剤の投薬量の調整を好適に実行することができる。【００７０】
表示手段（６）は、入力手段（２）から入力される入力数値（心拍出量値、左心房圧値、右心房圧値、血圧値）と、上記する第１乃至第３算出手段（３１〜３３）で求められる算出数値を表示する出力装置である。
この表示手段（６）は、各算出手段（３１〜３３）で算出される算出数値（心機能値、有効循環血液量値と血管抵抗値）を表示するが、本発明に係る心疾患治療システム（１）は、上記する如く、入力数値を患者から連続的に計測することが可能であるので、各算出手段（３１〜３３）によって連続的に算出数値を算出することができる。このため、時系列的に連続する折れ線グラフ表示させることが好ましい。
このように、時系列的に連続する折れ線グラフ表示することにより、時系列的な変化を目視して確認することができるので、容易にその変化を把握することができる。
また、第１乃至第３投薬手段（５１〜５３）に於いて投薬される薬剤の投与量を表示するように設定されることが好ましい。薬剤の投与量を併せて表示手段（６）により表示させることによって、使用者は効果的に患者の心機能、有効循環血液量、血管抵抗の変化（推移）を薬剤の投与量と併せて観察することができるからである。
以上が本発明に係る心疾患治療システム（１）の構成である。【００７１】
次に、本発明に係る心疾患治療システム（１）の動作について説明する。
図６は、本発明に係る心疾患治療システムを利用する場合のフローチャートを示す。
本発明に係る心疾患治療システム（１）は、上記する如く、実際の使用の場合に於いて定数Ａ乃至Ｇの設定が必要であるが、ここでは省略する。また、目標決定手段（７）の第１乃至第３目標決定手段（７１〜７３）にて設定される目標心拍出量値、目標右心房圧値、目標左心房圧値と目標血圧値は、使用者により所定値に設定されているとする。【００７２】
まず、使用者は、患者が所望する目標値（心拍出量、右心房圧値、左心房圧値と血圧値）を有するように、この目標値を目標決定手段（７）に入力する。
このとき、使用者により設定される目標心拍出量値、目標右心房圧値、目標左心房圧値と目標血圧値から目標決定手段（７）により目標左心機能値、目標右心機能値、目標有効循環血液量値と目標血管抵抗値が算出される。
具体的には、第１目標決定手段（７１）に目標心拍出量値と目標左心房圧値が入力されると、目標左心機能値が算出される。更に、第１目標決定手段（７１）に目標心拍出量値と目標右心房圧値が入力されると、目標右心機能値が算出される（Ｓ０１）。
第２目標決定手段（７２）に目標心拍出量値、目標左心房圧値及び目標右心房圧値が入力されると、目標有効循環血液量値が算出される（Ｓ０２）。
第３目標決定手段（７３）に目標心拍出量値、目標右心房圧値と目標血圧値が入力されると、目標血管抵抗値が算出される（Ｓ０３）。【００７３】
目標決定手段（７）により各目標数値（目標左心機能値、目標右心機能値、目標有効循環血液量値と目標血管抵抗値）が算出されると、これらの目標数値は表示手段（４）に送られる。表示手段（４）に送られた目標数値は、夫々に時系列的に連続する線グラフ表示される（後述する（Ｓ５）参照）。【００７４】
次に、患者の血圧値、心拍出量値、右心房圧値と左心房圧値を計測する（Ｓ１）。
このとき、患者には、スワンガンツ・カテーテルを装着させることによって、これらの数値を計測するが、他の装置を利用しても構わない。
次に、計測された血圧値、心拍出量値、右心房圧値と左心房圧値は、夫々、入力手段（２）によって算出手段（３）へ入力される。
入力手段（２）によりこれらの計測数値が入力されると、算出手段（３）により左心機能値、右心機能値、有効循環血液量値と血管抵抗値が算出される。具体的には、第１算出手段（３１）に心拍出量値と左心房圧値が入力されると、左心機能値が算出される。更に、第１算出手段（３１）に心拍出量値と右心房圧値が入力されると、右心機能値が算出される（Ｓ２）。
第２算出手段（３２）に心拍出量値、左心房圧値及び右心房圧値が入力されると、有効循環血液量値が算出される（Ｓ３）。
第３算出手段（３３）に心拍出量値、右心房圧値と血圧値が入力されると、血管抵抗値が算出される（Ｓ４）。
尚、これらの心拍出量値、左心房圧値、右心房圧値と血圧値が計測される毎に連続して第１乃至第３算出手段（３１から３３）が夫々左心機能値、右心機能値、有効循環血液量値と血管抵抗値を算出する。【００７５】
算出手段（３）により各算出数値（左心機能値、右心機能値、有効循環血液量値と血管抵抗値）が算出されると、これらの算出数値は表示手段（４）に送られる。表示手段（４）に送られた算出数値は、夫々に時系列的に連続する折れ線グラフ表示される（Ｓ５）。【００７６】
次に、第１算出手段（３１）で算出された左心機能値が第１比較手段（４１）へ送られ、また第１目標決定手段（７１）で算出された目標左心機能値が第１比較手段（４１）へ送られているので、第１比較手段（４１）は、この左心機能値（又は右心機能値）と目標左心機能値（又は目標右心機能値）との比較を行う（Ｓ６）。
このとき、第１比較手段（４１）は、算出された左心機能値と目標心機能値との比較結果を第１投薬手段（５１）へ送る。【００７７】
第２算出手段（３２）で算出された有効循環血液量値が第２比較手段（４２）へ送られ、また第２目標決定手段（７２）で算出された目標有効循環血液量値が第２比較手段（４２）へ送られているので、第２比較手段（４２）は、この有効循環血液量値と目標有効循環血液量値との比較を行う（Ｓ７）。
このとき、第２比較手段（４２）は、算出された有効循環血液量値と目標有効循環血液量値との比較結果を第２投薬手段（５２）へ送る。【００７８】
第３算出手段（３３）で算出された血管抵抗値が第３比較手段（４３）へ送られ、また第３目標決定手段（７３）で算出された目標血管抵抗値が第３比較手段（４３）へ送られているので、第３比較手段（４３）は、この血管抵抗値と目標血管抵抗値との比較を行う（Ｓ８）。
このとき、第３比較手段（４３）は、算出された血管抵抗値と目標血管抵抗値との比較結果を第３投薬手段（５３）へ送る。【００７９】
第１投薬手段（５１）は、第１比較手段（４１）に於いて比較された比較結果を受け取り、この比較結果に応じる投薬が施される（Ｓ９）。
このとき、第１比較手段（４１）の比較結果が、第１投薬手段（５１）により投薬が促される比較結果（算出された心機能値が目標心機能値よりも低い場合）であれば、第１投薬手段（５１）は、患者の心機能値を上昇させるために、患者へ強心剤を投与する。
第１投薬手段（５１）により投薬が停止又は投薬の必要なしとされる比較結果（算出された心機能値が目標心機能値と等しい場合）であれば、第１投薬手段（５１）は投薬を停止又は停止状態を維持する。
第１投薬手段（５１）により強心剤投与の投薬が必要なしとされる比較結果（算出された心機能値が目標心機能値よりも高い場合）であれば、第１投薬手段（５１）は、強心剤投薬量を減量する又は投薬を停止又は停止状態を維持する。【００８０】
第２投薬手段（５２）は、第２比較手段（４２）に於いて比較された比較結果を受け取り、この比較結果に応じる投薬が施される（Ｓ１０）。
このとき、第２比較手段（４２）の比較結果が、第２投薬手段（５２）により投薬が促される比較結果（算出された有効循環血液量値が目標有効循環血液量値よりも低い場合）であれば、第２投薬手段（５２）は、患者の有効循環血液量値を上昇させるために、患者へ適切な輸液（低分子デキストランやアルブミン製剤の投与）を行う。
第２投薬手段（５２）により投薬が停止又は投薬の必要なしとされる比較結果（算出された有効循環血液量値が目標有効循環血液量値と等しい場合）であれば、第２投薬手段（５２）は投薬を停止又は停止状態を維持する。
第２投薬手段（５２）により投薬が促される比較結果（算出された有効循環血液量値が目標有効循環血液量値よりも高い場合）であれば、第２投薬手段（５２）は、患者の有効循環血液量値を降下させるために、患者へ利尿剤を投与する。【００８１】
第３投薬手段（５３）は、第３比較手段（４３）に於いて比較された比較結果を受け取り、この比較結果に応じる投薬が施される（Ｓ１１）。
このとき、第３比較手段（４３）の比較結果が、第３投薬手段（５３）により投薬が促される比較結果（算出された血管抵抗値が目標循血管抵抗値よりも低い場合）であれば、第３投薬手段（５３）は、患者の血管抵抗値を上昇させるために、患者へ血管収縮剤を投与する。
第３投薬手段（５３）により投薬が停止又は投薬の必要なしとされる比較結果（算出された血管抵抗値が目標血管抵抗値と等しい場合）であれば、第３投薬手段（５３）は投薬を停止又は停止状態を維持する。
第３投薬手段（５３）により投薬が促される比較結果（算出された血管抵抗値が目標血管抵抗値よりも高い場合）であれば、第３投薬手段（５３）は、患者の血管抵抗値を降下させるために、患者へ血管拡張剤を投与する。
尚、上記する如く、第１乃至第３投薬手段（５１〜５３）は、多段階に調整される投与量により投薬されてもよいし、実時間で薬剤投与量を決定していく制御方法（例えばPI制御、PID制御等）により投与量を制御しても構わない。また薬剤に対する応答が極めて特異な患者においては、適応制御により投与量を制御されても構わない。【００８２】
尚、表示手段（６）は、第１乃至第３算出手段（３１〜３３）に於いて算出される心機能値（左心機能値及び／又は右心機能値）、有効循環血液量値と血管抵抗値が時系列的に表示される、第１乃至第３目標決定手段（７１〜７３）に於いて算出される目標心機能値（目標左心機能値及び／又は目標右心機能値）、目標有効循環血液量値と目標血管抵抗値が時系列的に表示されるとともに、これらの算出値に応じて投薬される投与量を時系列的に表示する（Ｓ１２）。
このように、表示手段（６）が上記する如き算出値、目標値及び薬剤の投与量を表示することによって、本心疾患治療システム（１）の使用者は、患者の様態を時系列で診断することができるようになる。
【試験例１】
【００８３】
次に、本発明に係る心疾患治療システム（１）の試験を行った結果を示す。
この試験例に於いて、本発明に係る心疾患治療システム（１）に使用される数式（上記する（数１３）乃至（数１８））が正確であるか否かを検討する。
この試験例では、犬７匹を使用してこれらの数式の有効性を検討した。
まず、（数１３）及び（数１４）で示される定数Ａと定数Ｂについて検討する。これら定数Ａ及び定数Ｂは、犬の左心機能値を算出するための定数を示している。
下記の（表１）で示される如く、定数Ａ及び定数Ｂは、犬の場合であれば、「Ａ＝2.03」、「Ｂ＝0.80」を使用することができることが確認される。
【００８４】
【表１】
0004892667.tif 000021
【００８５】
次に、（数１５）及び（数１６）で示される定数Ｃと定数Ｄについて検討する。これら定数Ｃ及び定数Ｄは、犬の右心機能を算出するための定数を示している。
下記の（表２）で示される如く、定数Ｃ及び定数Ｄは、犬の場合であれば、「Ｃ＝1.0」、「Ｄ＝0.88」を使用することができることが確認される。
尚、これら「定数Ｃ」と「定数Ｄ」は、上記７つの測定値を線形回帰し、実用するに至り補正を行って求めた数値である。
【００８６】
【表２】
0004892667.tif 000022
【００８７】
次いで、（数１７）及び（数１８）で示される定数Ｅ、定数Ｆと定数Ｇについて検討する。これら定数Ｅ、定数Ｆと定数Ｇは、犬の有効循環血液量を算出するための定数を示している。
下記の（表３）で示される如く、定数Ｅ、定数Ｆと定数Ｇは、犬の場合であれば、「Ｅ＝0.129」、「Ｆ＝19.61」、「Ｇ＝3.49」を使用することができることが確認される。
【００８８】
【表３】
0004892667.tif 000023
【００８９】
このようにして、定数Ａ乃至定数Ｇが夫々初期設定されることになる。つまり、犬を被験者（患者）とする場合であれば、（数１３）乃至（数１８）の定数Ａ乃至定数Ｇは、「Ａ＝2.03」、「Ｂ＝0.80」、「Ｃ＝1.0」、「Ｄ＝0.88」、「Ｅ＝0.129」、「Ｆ＝19.61」、「Ｇ＝3.49」と設定されることになる。また（数１９）の定数Ｈは犬においてはShoukasらの報告に従い「Ｈ＝0」と設定した（例えば、Shoukas AA.著 「Carotid sinus baroreceptor reflex control and epinephrine. Influence on capacitive and resistive properties of the total pulmonary vascular bed of the dog.」 Circ Res 51: 95-101, 1982.を参照されたい）。
これらの定数を使用した場合に於いて、本心疾患治療システム（１）を使用した。
図７及び図８は、本発明に係る心疾患治療システムを使用した場合の一実施例を示す。
図７では、血圧、右心房圧、左心房圧及び心拍出量の時間的変化が示されている。この図７で示される如く、治療を開始してから、２０分以内に血圧値、右心房圧値、左心房圧値及び心拍出量値が目標値に到達している。尚、この場合の目標値は、「血圧値＝90mmHg」、「左心房圧値＝10mmHg」及び「心拍出量値＝100ml/min/kg」と設定している。
【００９０】
図８では、有効循環血液量、左心機能、右心機能、血管抵抗、強心剤、血管拡張剤の投与量及び点滴量の時間的変化が示されている。尚、強心剤にはドブタミンが使用され、血管拡張剤にはニトロプルシドが使用され、点滴には低分子デキストランが使用されている。強心剤、及び血管拡張剤投与量設定にはPI制御が使用され、点滴量は多段階に調整される投与量により投薬されている。
この図８に於いて、治療開始時では、有効循環血液量値が目標有効循環血液量値よりも高い状態にあり、左心機能及び右心機能が目標左心機能及び目標右心機能よりも低い状態にあり、血管抵抗値が目標血管抵抗値よりも高い状態にあり、いずれも目標値からかけ離れた異常状態であった（算出手段（３）により各有効循環血液量値、左心機能値、右心機能値及び血管抵抗値が算出され、比較手段（４）によってその状態（正常状態や異常状態）の判断が行われることになる）。
治療が開始されると、各状態に応じて投薬手段（５）により、各算出数値が各目標値に到達するように投薬が開始される（投薬手段（５）により好適な投与量の投薬が行われる）。上記する工程が繰り返されて、各算出値が目標値に到達している。
このように、本発明に係る心疾患治療システム（１）を使用することにより、患者の心機能値、有効循環血液量値及び血管抵抗値を所望する値へ制御することができるので、心拍出量値、左心房圧値及び血圧値も所望する目標値へと制御することができるようになる。
【図面の簡単な説明】
【００９１】
【図１】本発明に係る心疾患治療システムの概略構成図である。
【図２】心臓の概略図を示す。
【図３】心拍出量、左心房圧、右心房圧の３次元座標表示に於ける心拍出量曲線の一実施例を示す。
【図４】心拍出量、左心房圧、右心房圧の３次元座標表示に於ける静脈還流平面の一実施例を示す。
【図５】心拍出量、左心房圧、右心房圧の３次元座標表示に於ける心拍出量曲線と静脈還流平面の一実施例を示す。
【図６】本発明に係る心疾患治療システムを利用する場合のフローチャートを示す。
【図７】本発明に係る心疾患治療システムを使用した場合の一実施例における血圧値・右心房圧値・左心房圧値・心拍出量値の推移を示す。
【図８】本発明に係る心疾患治療システムを図７の場合に於いて使用した際の有効循環血液量・左心機能値・右心機能値・血管抵抗値・薬剤投与量の推移の表示結果を示す。また目標左心機能値、目標有効循環血液量値と目標血管抵抗値をあわせて示す。
【符号の説明】
【００９２】
１・・・・心疾患治療システム
２・・・・入力手段
３１・・・第１算出手段
３２・・・第２算出手段
３３・・・第３算出手段
４１・・・第１比較手段
４２・・・第２比較手段
４３・・・第３比較手段
５１・・・第１投薬手段
５２・・・第２投薬手段
５３・・・第３投薬手段
６・・・・表示手段
７・・・・目標決定手段
７１・・・第１目標決定手段
７２・・・第２目標決定手段
７３・・・第３目標決定手段
【図１】
0004892667.tif 000032
【図２】
0004892667.tif 000033
【図３】
0004892667.tif 000034
【図４】
0004892667.tif 000035
【図５】
0004892667.tif 000036
【図６】
0004892667.tif 000037
【図７】
0004892667.tif 000038
【図８】
0004892667.tif 000039